(57)【要約】【課題】物品を収容ケースに戻し忘れていることを検出する。【解決手段】物品照合システム１は、タグ２と、収容ケース（工具箱）４とを備える。タグ２は、各物品（工具）３に取り付けられ、物品ＩＤ（工具ＩＤ）が書き込まれる。収容ケース４は、その収容ケース４内にあるタグ２と無線通信し、その収容ケース４外にあるタグ２と無線通信しないタグ読取装置５を有する。タグ読取装置５は、無線部５１と、処理部５２と、記憶部５３と、操作部５４とを有する。操作部５４が登録の入力操作を受けた時、処理部５２は、無線部５１がそのときに読み取った全てのタグ２の物品ＩＤを記憶部５３に記憶させる。操作部５４が照合の入力操作を受けた時、処理部５２は、無線部５１がそのときに読み取った全てのタグ２の物品ＩＤと、記憶部５３に記憶されている物品ＩＤとを照合し、その照合結果が一致か不一致かを出力する。【選択図】図１
2018176380.tif 000002
【特許請求の範囲】
【請求項１】
無線通信でデータが読み書きされるタグと、物品を収容するための収容ケースとを備えた物品照合システムであって、
前記タグは、各物品に取り付けられ、前記各物品を一意に識別するための物品ＩＤが書き込まれ、
前記収容ケースは、その収容ケース内にある前記タグと無線通信し、その収容ケース外にある前記タグと無線通信しないタグ読取装置を有し、
前記タグ読取装置は、前記タグと無線通信する無線部と、データを処理する処理部と、データを記憶する記憶部と、前記処理部への入力操作を受ける操作部とを有し、
前記操作部が登録の入力操作を受けた時、前記処理部は、前記無線部がそのときに読み取った全てのタグの物品ＩＤを前記記憶部に記憶させ、
前記操作部が照合の入力操作を受けた時、前記処理部は、前記無線部がそのときに読み取った全てのタグの物品ＩＤと、前記記憶部に記憶されている物品ＩＤとを照合し、その照合結果が一致か不一致かを出力することを特徴とする物品照合システム。
【請求項２】
前記タグ読取装置は、前記処理部の出力を表示する表示部をさらに有し、
前記処理部は、前記照合結果を前記表示部に表示することを特徴とする請求項１に記載の物品照合システム。
【請求項３】
前記物品は、工具であり、
前記収容ケースは、前記工具を収容するための工具箱であることを特徴とする請求項１又は請求項２に記載の物品照合システム。
【請求項４】
前記工具箱は、ユーザに持たれる持ち手と、前記持ち手が持たれることが可能な状態と不可能な状態を切り替える切替部とを有し、
前記処理部は、前記操作部が照合の入力操作を受けた時、前記照合結果が一致である場合、前記切替部に前記持ち手が持たれることが可能な状態にさせ、前記照合結果が不一致である場合、前記切替部に前記持ち手が持たれることが不可能な状態にさせることを特徴とする請求項３に記載の物品照合システム。
【請求項５】
前記工具箱は、開口を有する工具箱本体と、前記開口を閉じる蓋と、前記蓋を前記工具箱本体にロック可能な状態と不可能な状態とを切り替える切替部とを有し、
前記処理部は、前記操作部が照合の入力操作を受けた時、前記照合結果が一致である場合、前記切替部に前記蓋をロック可能な状態にさせ、前記照合結果が不一致である場合、前記切替部に前記蓋をロック不可能な状態にさせることを特徴とする請求項３又は請求項４に記載の物品照合システム。
【請求項６】
前記収容ケースは、前記物品を収容するためのロッカーであることを特徴とする請求項１又は請求項２に記載の物品照合システム。
【請求項７】
画面及び通信機能を有する携帯端末をさらに備え、
前記携帯端末は、各物品の物品ＩＤと物品名称とを対応させて予め記憶し、
前記収容ケースは、その収容ケース外の携帯端末と通信する通信部を有し、
前記処理部は、前記照合結果及び、その照合結果が不一致の場合に不一致となっている前記物品ＩＤを前記通信部に送信させ、
前記携帯端末は、前記通信部から受信した前記照合結果を前記画面に表示し、その照合結果が不一致の場合、不一致となっている前記物品ＩＤに対応する物品名称を前記画面に表示することを特徴とする請求項１乃至請求項６のいずれか一項に記載の物品照合システム。
【請求項８】
前記携帯端末の操作によって、物品照会指令が前記通信部に送信され、
前記処理部は、前記通信部が前記物品照会指令を受信した時、前記無線部がそのときに読み取った全てのタグの物品ＩＤを前記通信部に送信させ、
前記携帯端末は、前記通信部から受信した前記物品ＩＤに対応する物品名称を前記画面に表示することを特徴とする請求項７に記載の物品照合システム。
【請求項９】
前記携帯端末の操作によって、物品ＩＤ及び書込指令が前記通信部に送信され、
前記処理部は、前記通信部が前記物品ＩＤ及び書込指令を受信した時、その物品ＩＤを前記無線部を介して前記タグに書き込むことを特徴とする請求項７又は請求項８に記載の物品照合システム。
【発明の詳細な説明】
【技術分野】
【０００１】
本発明は、収容ケース内の物品を照合するための物品照合システムに関する。
【背景技術】
【０００２】
工具を用いる保守作業等において、作業者は、工具を工具箱に入れて工具の保管場所から持ち出し、作業場所で工具箱から工具を取り出して使用し、作業終了後に工具を工具箱に戻してから作業場所を退出する。
【０００３】
鉄道車両の保守作業においては、作業終了後に工具を工具箱に戻し忘れることを防止するために、チェックリスト等のいわゆるソフト対策が講じられている。しかしながら、工具の戻し忘れの防止を一層確実にするため、従来のソフト対策に加えて、ハード対策が求められていた。
【０００４】
従来から、ＲＦ−ＩＤタグを工具に取り付け、作業者が携帯するＲＦ−ＩＤ読み取り装置によって工具の存在を確認するシステムが知られている（例えば、特許文献１の請求項２参照）。このようなシステムを用いると、作業者は、作業終了後に工具を工具箱に戻してから、携帯するＲＦ−ＩＤ読み取り装置によって工具の存在を確認する。しかし、このＲＦ−ＩＤ読み取り装置は、工具が工具箱の中にあるか外にあるかにかかわらず、工具のＲＦ−ＩＤタグを読み取るので、作業者は、工具箱外にある工具を見落とすと、その工具を工具箱に戻し忘れることになり、有効なハード対策とは言えない。
【０００５】
また、従来、ロッカー等の保管場所が決められている工具等の物品が、保管場所に正しく戻されているかを確認することが困難であった。例えば、複数のロッカーが並べて設置されている場合、上記のＲＦ−ＩＤ読み取り装置を用いると、物品が特定のロッカーの中にあるか外にあるかにかかわらず、物品のＲＦ−ＩＤタグを読み取るので、物品が間違ったロッカーに戻されても、そのことが分からなかった。
【０００６】
上述したように、本願の発明者は、工具箱及びロッカーが、いずれも工具等の物品を収容する収容ケースであり、物品を収容ケースに戻し忘れても分からないという同じ問題があることに気付いた。
【先行技術文献】
【特許文献】
【０００７】
【特許文献１】特開２００５−２０７１６７号公報
【発明の概要】
【発明が解決しようとする課題】
【０００８】
本発明は、上記問題を解決するものであり、物品を収容ケースに戻し忘れていることを検出することを目的とする。
【課題を解決するための手段】
【０００９】
本発明の物品照合システムは、無線通信でデータが読み書きされるタグと、物品を収容するための収容ケースとを備えたシステムであって、前記タグは、各物品に取り付けられ、前記各物品を一意に識別するための物品ＩＤが書き込まれ、前記収容ケースは、その収容ケース内にある前記タグと無線通信し、その収容ケース外にある前記タグと無線通信しないタグ読取装置を有し、前記タグ読取装置は、前記タグと無線通信する無線部と、データを処理する処理部と、データを記憶する記憶部と、前記処理部への入力操作を受ける操作部とを有し、前記操作部が登録の入力操作を受けた時、前記処理部は、前記無線部がそのときに読み取った全てのタグの物品ＩＤを前記記憶部に記憶させ、前記操作部が照合の入力操作を受けた時、前記処理部は、前記無線部がそのときに読み取った全てのタグの物品ＩＤと、前記記憶部に記憶されている物品ＩＤとを照合し、その照合結果が一致か不一致かを出力することを特徴とする。
【００１０】
この物品照合システムにおいて、前記タグ読取装置は、前記処理部の出力を表示する表示部をさらに有し、前記処理部は、前記照合結果を前記表示部に表示することが好ましい。
【００１１】
この物品照合システムにおいて、前記物品は、工具であり、前記収容ケースは、前記工具を収容するための工具箱であることが好ましい。
【００１２】
この物品照合システムにおいて、前記工具箱は、ユーザに持たれる持ち手と、前記持ち手が持たれることが可能な状態と不可能な状態を切り替える切替部とを有し、前記処理部は、前記操作部が照合の入力操作を受けた時、前記照合結果が一致である場合、前記切替部に前記持ち手が持たれることが可能な状態にさせ、前記照合結果が不一致である場合、前記切替部に前記持ち手が持たれることが不可能な状態にさせることが好ましい。
【００１３】
この物品照合システムにおいて、前記工具箱は、開口を有する工具箱本体と、前記開口を閉じる蓋と、前記蓋を前記工具箱本体にロック可能な状態と不可能な状態とを切り替える切替部とを有し、前記処理部は、前記操作部が照合の入力操作を受けた時、前記照合結果が一致である場合、前記切替部に前記蓋をロック可能な状態にさせ、前記照合結果が不一致である場合、前記切替部に前記蓋をロック不可能な状態にさせてもよい。
【００１４】
この物品照合システムにおいて、前記収容ケースは、前記物品を収容するためのロッカーであってもよい。
【００１５】
この物品照合システムにおいて、画面及び通信機能を有する携帯端末をさらに備え、前記携帯端末は、各物品の物品ＩＤと物品名称とを対応させて予め記憶し、前記収容ケースは、その収容ケース外の携帯端末と通信する通信部を有し、前記処理部は、前記照合結果及び、その照合結果が不一致の場合に不一致となっている前記物品ＩＤを前記通信部に送信させ、前記携帯端末は、前記通信部から受信した前記照合結果を前記画面に表示し、その照合結果が不一致の場合、不一致となっている前記物品ＩＤに対応する物品名称を前記画面に表示することが好ましい。
【００１６】
この物品照合システムにおいて、前記携帯端末の操作によって、物品照会指令が前記通信部に送信され、前記処理部は、前記通信部が前記物品照会指令を受信した時、前記無線部がそのときに読み取った全てのタグの物品ＩＤを前記通信部に送信させ、前記携帯端末は、前記通信部から受信した前記物品ＩＤに対応する物品名称を前記画面に表示することが好ましい。
【００１７】
この物品照合システムにおいて、前記携帯端末の操作によって、物品ＩＤ及び書込指令が前記通信部に送信され、前記処理部は、前記通信部が前記物品ＩＤ及び書込指令を受信した時、その物品ＩＤを前記無線部を介して前記タグに書き込むことが好ましい。
【発明の効果】
【００１８】
本発明の物品照合システムによれば、タグ読取装置が収容ケース内にあるタグと無線通信し、その収容ケース外にあるタグと無線通信しないことから、収容ケース内だけにある物品のタグを読み取るので、物品を収容ケースに戻し忘れていることを検出することができる。
【図面の簡単な説明】
【００１９】
【図１】本発明の第１の実施形態に係る物品照合システムのブロック構成図。
【図２】同システムの外観を示す斜視図。
【図３】同システムにおけるタグ読取装置を工具箱外から見た平面図。
【図４】（ａ）は同システムにおける持ち手が持たれることが可能な状態を示す側面図、（ｂ）は持ち手が持たれることが不可能な状態を示す側面図。
【図５】（ａ）（ｂ）は同システムにおける蓋をロック可能な状態を示す側面図、（ｃ）（ｄ）は蓋をロック不可能な状態を示す側面図。
【図６】同システムにおけ携帯端末の照合画面を示す正面図。
【図７】同システムにおけ携帯端末の照会画面を示す正面図。
【図８】同システムにおけ携帯端末の工具ＩＤ書込画面を示す正面図。
【図９】本発明の第２の実施形態に係る物品照合システムのブロック構成図。
【図１０】同システムの外観を示す斜視図。
【発明を実施するための形態】
【００２０】
（第１の実施形態）
本発明の第１の実施形態に係る物品照合システムを図１乃至図８を参照して説明する。図１及び図２に示すように、物品照合システム１は、タグ２と、物品３を収容するための収容ケース４とを備える。タグ２は、各物品３に取り付けられ、各物品３を一意に識別するための物品ＩＤが書き込まれる。
【００２１】
第１の実施形態では、物品３は工具である。収容ケース４は、工具箱である。物品ＩＤは、工具ＩＤとも呼ばれる。物品照合システム１は、工具照合システムとも呼ばれる。なお、本実施形態では、物品は工具であるので、同じ符号（３）を付す。同様に、本実施形態では、収容ケースは工具箱であるので、同じ符号（４）を付す。
【００２２】
工具箱４は、タグ読取装置５を有する。タグ読取装置５は、工具箱４内にあるタグ２と無線通信し、その工具箱４外にあるタグ２と無線通信しない。
【００２３】
タグ読取装置５は、無線部５１と、処理部５２と、記憶部５３と、操作部５４と、表示部５５とを有する。無線部５１は、タグ２と無線通信する。処理部５２は、データを処理する。記憶部５３は、データを記憶する。操作部５４は、処理部５２への入力操作を受ける。表示部５５は、処理部５２の出力を表示する。
【００２４】
タグ２は、例えば、金属対応ＩＣタグであり、ＲＦタグ、ＲＦ−ＩＤタグとも呼ばれる。工具箱４は、工具箱本体４ａ及び蓋４ｂを有し、その蓋４ｂを開閉可能な箱であり、本実施形態では電波を遮蔽する金属製である。タグ読取装置５は、工具箱４内にあり、操作部５４及び表示部５５が工具箱４外に露出している。但し、操作部５４及び表示部５５から工具箱４外に電波は漏れない。工具箱４は、蓋４ｂを閉じたとき、金属製の工具箱本体４ａ及び蓋４ｂで電波を遮蔽するので、タグ読取装置５は、工具箱４内にあるタグ２とは無線通信するが、工具箱４外にあるタグ２と無線通信しない。電波を遮蔽及び吸収するため、適宜の材料から成る工具箱４の内面に電波吸収塗料を塗布してもよい。電波吸収塗料は、フェライト等が配合された、電波を吸収する塗料である。なお、工具箱４で電波を遮蔽する代わりに、無線部５１のアンテナに、工具箱４内とだけ無線通信するように指向性を持たせてもよい。
【００２５】
タグ読取装置５の無線部５１は、ＲＦアンテナ等を有する。処理部５２は、マイクロコントローラのＣＰＵである。記憶部５３は、そのマイクロコントローラのメモリである。
【００２６】
図３に示すように、本実施形態では、操作部５４は、押しボタン５４ａ、５４ｂである。表示部５５は、ランプ５５ａ、５５ｂ、５５ｃである。初期状態では、ランプ５５ａ、５５ｂ、５５ｃは消灯している。タグ読取装置５の電源は、電池である（図示せず）。
【００２７】
物品照合システム１の用い方を説明する。先ず、事前準備として、各工具３にタグ２が貼り付けられる（図２参照）。各タグ２には、工具ＩＤ（物品ＩＤ）が書き込まれる。
【００２８】
工具の持ち出し時、工具箱４の蓋が開けられ、作業に必要な工具３が工具箱４に入れられる。そして、工具箱４の蓋が閉じられ、操作部５４が登録の入力操作を受ける。登録の入力操作は、作業者であるこのシステムのユーザが登録ボタン５４ａを押すことによって行われる。登録ボタン５４ａが押された時、処理部５２は、無線部５１がそのときに読み取った全てのタグ２の工具ＩＤを記憶部５３に記憶させる。これにより、工具箱４に入れて持ち出す全ての工具３がタグ読取装置５に登録される。処理部５２は、登録完了を表示部５５に表示する。この表示は、ランプ５５ａの点灯により行われる。ランプ５５ａの近傍には、例えば、「持出中」と記載されている。
【００２９】
ユーザは、工具３が入った工具箱４を工具の保管場所から持ち出し、作業場所で工具箱４から工具３を取り出して使用する。
【００３０】
作業が終了すると、ユーザは、工具３を工具箱４に戻す。そして、工具箱４の蓋が閉じられ、操作部５４が照合の入力操作を受ける。照合の入力操作は、ユーザが照合ボタン５４ｂを押すことによって行われる。照合ボタン５４ｂが押された時、処理部５２は、無線部５１がそのときに読み取った全てのタグ２の工具ＩＤと、記憶部５３に記憶されている工具ＩＤとを照合し、その照合結果が一致か不一致かを出力する。処理部５２は、例えば、その照合結果を表示部５５に表示する。この表示は、照合結果が一致の場合、ランプ５５ｂの点灯により、照合結果が不一致の場合、ランプ５５ｃの点灯により行われる。ランプ５５ｂの近傍には「照合ＯＫ」と記載され、ランプ５５ｃの近傍には「照合ＮＧ」と記載されている。
【００３１】
ユーザは、表示部５５のランプ５５ｂ及びランプ５５ｃの点灯又は消灯を見ることにより、照合結果を確認する。表示部５５に表示された照合結果が一致の場合、ユーザは、工具３が入った工具箱４を持って作業場所を退出する。表示部５５に表示された照合結果が不一致の場合、ユーザは、工具箱４に戻し忘れた工具３を探す。ユーザは、工具箱４に戻し忘れた工具３を見つけたら、その工具３を工具箱４に戻し、再び照合ボタン５４ｂを押し、表示部５５を見て照合結果を確認する。
【００３２】
このように、物品照合システム１は、タグ読取装置５が工具箱４内にあるタグ２と無線通信し、その工具箱４外にあるタグ２と無線通信しないことから、工具箱４内だけにある工具３のタグ２を読み取るので、工具３を工具箱４に戻し忘れていることを検出することができる。
【００３３】
本実施形態では、図４（ａ）（ｂ）に示すように、工具箱４は、持ち手４１と、切替部４２とを有する。持ち手４１は、物品照合システム１のユーザに持たれる部分である。ユーザは、工具箱４を持つ際に、持ち手４１を持つ。切替部４２は、持ち手４１が持たれることが可能な状態（図４（ａ））と不可能な状態（図４（ｂ））を切り替えるものである。
【００３４】
例えば、切替部４２は、ソレノイド４２１と、リンク４２２とを有する。ソレノイドとは、ソレノイドアクチュエータの略称であり、電磁力で直線運動を発生させる装置である。ソレノイド４２１は、処理部５２によって制御されて伸縮する。リンク４２２は、持ち手４１を上下動させる平行リンクである。ソレノイド４２１が縮むと、白抜き矢印で示すように、持ち手４１は、工具箱４の上面４４より高く上昇し、持たれることが可能な状態となる（図４（ａ））。ソレノイド４２１が伸びると、持ち手４１は、工具箱４の上面４４以下に降下し、持たれることが不可能な状態となる（図４（ｂ））。なお、持ち手４１の上下動はユーザが行い、持ち手４１の上昇を切替部４２でロック・アンロックするように構成してもよい。
【００３５】
処理部５２は、操作部５４が照合の入力操作を受けた時、照合結果が一致である場合、切替部４２に持ち手４１が持たれることが可能な状態にさせ、その照合結果が不一致である場合、切替部４２に持ち手４１が持たれることが不可能な状態にさせる。
【００３６】
これにより、照合結果が不一致である場合にユーザが工具箱４を持って作業場所を退出することを防がれる。
【００３７】
変形例として、持ち手４１に代えて、図５（ａ）（ｂ）（ｃ）（ｄ）に示すように、工具箱４は、掛金４１ａ、４１ｂを有してもよい。工具箱４は、開口を有する工具箱本体４ａと、その開口を閉じる蓋４ｂと、切替部４２とを有する。掛金４１ａは、工具箱本体４ａに設けられる。掛金４１ｂは、蓋４ｂに設けられる。切替部４２は、蓋４ｂを工具箱本体４ａにロック可能な状態（図５（ａ）（ｂ））と不可能な状態（図５（ｃ）（ｄ））とを切り替えるものである。なお、図５（ａ）〜（ｄ）において、左側が工具箱４の外部、右側が工具箱４の内部である。
【００３８】
例えば、切替部４２は、ソレノイド４２１と、リンク４２２とを有する。ソレノイド４２１は、処理部５２によって制御されて伸縮する。リンク４２２は、掛金４１ｂを動かすリンクである。ソレノイド４２１が伸びると、白抜き矢印で示すように、掛金４１ｂは、工具箱４外に露出し、ロック可能な状態となる（図５（ａ））。そして、掛金４１ａと掛金４１ｂが係合することによって、蓋４ｂが工具箱本体４ａにロックされる（図５（ｂ））。
【００３９】
ソレノイド４２１が縮むと、掛金４１ｂは、工具箱４内に引っ込み、ロック不可能な状態となる（図５（ｃ））。そして、掛金４１ａと掛金４１ｂが係合できず、蓋４ｂが工具箱本体４ａにロックされない（図５（ｄ））。
【００４０】
処理部５２は、操作部５４が照合の入力操作を受けた時、照合結果が一致である場合、前述したように、切替部４２に蓋４ｂをロック可能な状態にさせ、その照合結果が不一致である場合、切替部４２に蓋４ｂをロック不可能な状態にさせる。
【００４１】
これにより、照合結果が不一致である場合にユーザが工具箱４を持って作業場所を退出することを防がれる。
【００４２】
物品照合システム１は、携帯端末６をさらに備える（図１及び図２参照）。携帯端末６は、画面６１及び通信機能を有する。工具箱４は、通信部４３を有する。通信部４３は、工具箱４外の携帯端末６と通信する。
【００４３】
携帯端末６は、例えば、スマートフォンであり、ユーザに携行される。画面６１は、スマートフォンの表示パネルである。携帯端末６は、端末であるので、入力機能、データ処理機能及びデータ記憶機能を有する。通信部４３と携帯端末との間の通信は、例えば、デジタル機器用の近距離無線通信（ＩＥＥＥ  ８０２．１５．１）である。本実施形態では、通信部４３は、タグ読取装置５に設けている。通信部４３をタグ読取装置５の外に設けてもよい。
【００４４】
携帯端末６は、各工具３の工具ＩＤと工具名称とを対応させて予め記憶している。
【００４５】
前述したように、操作部５４が照合の入力操作を受けた時、処理部５２は、無線部５１がそのときに読み取った全てのタグ２の工具ＩＤと、記憶部５３に記憶されている工具ＩＤとを照合し、その照合結果が一致か不一致かを出力する。そして、処理部５２は、照合結果及び、その照合結果が不一致の場合に不一致となっている工具ＩＤを通信部４３に送信させる。照合結果及び工具ＩＤの送信は、自動的に行われるようにシステムを構成してもよいし、携帯端末６の操作による状態照会を条件とし、その状態照会を通信部４３が受信したときに行うようにシステムを構成してもよい。図６に示すように、携帯端末６は、通信部４３から受信した照合結果を画面６１に表示し、その照合結果が不一致の場合、不一致となっている工具ＩＤに対応する工具名称を画面６１に表示する。画面６１に表示される工具は、工具箱４外に置き忘れている工具３である。
【００４６】
携帯端末６は、工具箱４内にある工具３の照会にも用いられる。携帯端末６の操作によって、工具照会指令が通信部４３に送信される。処理部５２は、通信部４３が工具照会指令を受信した時、無線部５１がそのときに読み取った全てのタグの工具ＩＤを通信部４３に送信させる。図７に示すように、携帯端末６は、通信部４３から受信した工具ＩＤに対応する工具名称を画面６１に表示する。このような操作は、通常、工具箱４に入れて持ち出す全ての工具３をタグ読取装置５に登録した時に行われる。したがって、画面６１に表示される工具は、持ち出される工具３である。
【００４７】
携帯端末６は、タグ２への工具ＩＤの書き込みにも用いられる。前述したように、事前準備として、工具３にタグ２が貼り付けられる。工具ＩＤを書き込む対象の工具３が１つ工具箱４に入れられる。図８に示すように、携帯端末６の操作によって、工具ＩＤ及び書込指令が通信部４３に送信される。処理部５２は、通信部４３が工具ＩＤ及び書込指令を受信した時、その工具ＩＤを無線部５１を介して２タグに書き込む。このような、工具ＩＤの書き込みが、他の工具３に貼り付けられたタグ２に対しても行われる。なお、タグ２に工具ＩＤを書き込むためのタグ書込装置を別途設けてもよい。
【００４８】
（第２の実施形態）
本発明の第２の実施形態に係る物品照合システム１０を図９及び図１０を参照して説明する。図９及び図１０は、本実施形態の物品照合システム１０の構成を示す。本実施形態の物品照合システム１０は、第１の実施形態の物品照合システム１と同様の構成を有し、収容ケース４がロッカーであり、切替部４２を有しない点が異なる。第１の実施形態と同等の箇所には同じ符号を付している。以下の説明において、第１の実施形態と同等の箇所の詳細な説明は省略する。物品３は、例えば、工具であり、工具以外の物品であってもよい。なお、本実施形態では、収容ケースはロッカーであるので、同じ符号（４）を付す。
【００４９】
本実施形態の物品照合システム１０は、無線通信でデータが読み書きされるタグ２と、物品３を収容するためのロッカー（収容ケース）４とを備える。タグ２は、各物品３に取り付けられ、各物品３を一意に識別するための物品ＩＤが書き込まれる。なお、物品３が工具である場合、物品ＩＤを工具ＩＤと呼んでもよい。
【００５０】
ロッカー４は、タグ読取装置５を有する。タグ読取装置５は、ロッカー４内にあるタグ２と無線通信し、そのロッカー４外にあるタグ２と無線通信しない。
【００５１】
タグ読取装置５は、無線部５１と、処理部５２と、記憶部５３と、操作部５４と、表示部５５とを有する。無線部５１は、タグ２と無線通信する。処理部５２は、データを処理する。記憶部５３は、データを記憶する。操作部５４は、処理部５２への入力操作を受ける。表示部５５は、処理部５２の出力を表示する。
【００５２】
ロッカー４は、ロッカー本体と扉を有し、その扉を開閉可能なケースであり、本実施形態では電波を遮蔽する金属製である。タグ読取装置５は、ロッカー４内にあり、操作部５４及び表示部５５がロッカー４外に露出している。但し、操作部５４及び表示部５５からロッカー４外に電波は漏れない。ロッカー４は、扉を閉じたとき、金属製のロッカー本体及び扉で電波を遮蔽するので、タグ読取装置５は、ロッカー４内にあるタグ２とは無線通信するが、ロッカー４外にあるタグ２と無線通信しない。電波を遮蔽及び吸収するため、適宜の材料から成るロッカー４に電波吸収塗料を塗布してもよい。なお、ロッカー４で電波を遮蔽する代わりに、無線部５１のアンテナに、ロッカー４内とだけ無線通信するように指向性を持たせてもよい。
【００５３】
操作部５４が登録の入力操作を受けた時、処理部５２は、無線部５１がそのときに読み取った全てのタグ２の物品ＩＤを記憶部５３に記憶させる。操作部５４が照合の入力操作を受けた時、処理部５２は、無線部５１がそのときに読み取った全てのタグ２の物品ＩＤと、記憶部５３に記憶されている物品ＩＤとを照合し、その照合結果が一致か不一致かを出力する。
【００５４】
処理部５２は、その照合結果を表示部５５に表示する。
【００５５】
第２の実施形態の物品照合システム１０の用い方は、ロッカー４が通常は持ち運ばれないことを除いて、第１の物品照合システム１と同様である。
【００５６】
本実施形態においても、物品照合システム１０は、タグ読取装置５がロッカー４内にあるタグ２と無線通信し、そのロッカー４外にあるタグ２と無線通信しないことから、ロッカー４内だけにある物品３のタグ２を読み取るので、物品３をロッカー４に戻し忘れていることを検出することができる。
【００５７】
本実施形態においても、物品照合システム１０は、携帯端末６をさらに備える。携帯端末６の機能は、第１の実施形態と同様である。
【００５８】
なお、本発明は、上記の実施形態の構成に限られず、発明の要旨を変更しない範囲で種々の変形が可能である。例えば、物品照合システム１、１０が携帯端末６を有する場合、タグ読取装置５の表示部５５を省略して、その表示を携帯端末６の画面６１に表示してもよい。また、収容ケース４は、物品３を収容できる物であればよく、工具箱やロッカーに限定されない。
【符号の説明】
【００５９】
１  物品照合システム
１０  物品照合システム
２  タグ
３  物品、工具
４  収容ケース、工具箱、ロッカー
４１  持ち手
４２  切替部
４３  通信部
５  タグ読取装置
５１  無線部
５２  処理部
５３  記憶部
５４  操作部
５５  表示部
６  携帯端末
６１  画面
【図１】
2018176380.tif 000003
【図２】
2018176380.tif 000004
【図３】
2018176380.tif 000005
【図４】
2018176380.tif 000006
【図５】
2018176380.tif 000007
【図６】
2018176380.tif 000008
【図７】
2018176380.tif 000009
【図８】
2018176380.tif 000010
【図９】
2018176380.tif 000011
【図１０】
2018176380.tif 000012